【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
印刷データの印刷処理の内容を画像ログとして管理する画像ログ管理装置であって、
前記画像ログの取得を行うか否かを決定するログ採取プロパティの値を設定するログ採取プロパティ設定手段と、
前記ログ採取プロパティの値が設定されているか否かを判定するログ採取プロパティ設定判定手段と、
前記ログ採取プロパティ設定判定手段でログ採取プロパティの値が設定されていると判定されたとき、前記ログ採取プロパティ設定手段により設定された前記ログ採取プロパティの設定内容に対応させて、印刷設定画面の表示内容を制御する表示制御手段と、
前記印刷データの印刷処理を実行しようとする画像形成装置が画像ログ取得機能を有しているか否かを判定する画像ログ取得機能判定手段と、を有し、
前記画像ログ取得機能判定手段の判定結果に基づいて、前記画像形成装置に前記印刷処理を実行させることを特徴とする画像ログ管理装置。
【請求項２】
前記ログ採取プロパティ設定手段により設定されたログ採取プロパティの値が有効な値
であるか否かを判定するログ採取プロパティ判定手段を備えたことを特徴とする請求項１
に記載の画像ログ管理装置。
【請求項３】
画像ログ管理装置に接続されている一または複数の画像形成装置の中から、前記画像ログ取得機能判定手段により画像ログ取得機能を有していると判定された画像形成装置を検出する画像形成装置検出手段を備えていることを特徴とする請求項１または２に記載の画像ログ管理装置。
【請求項４】
前記画像ログ取得機能判定手段によりユーザが指定した画像形成装置が画像ログ取得機能を有していないと判定されたときに、前記ユーザからの指示に基づき、印刷対象の文書の管理者に対して通知を行う通知手段を備えることを特徴とする請求項１〜３のいずれか一つに記載の画像ログ管理装置。
【請求項５】
画像ログ管理装置からログインしている者と当該画像ログ管理装置で編集処理が行われている文書の所有者とが同一人物であるか否かを判定する文書所有者判定手段を備えていることを特徴とする請求項１〜４のいずれか一つに記載の画像ログ管理装置。
【請求項６】
処理する文書に対して当該文書の所有者情報を設定する文書所有者情報設定手段を備えていることを特徴とする請求項１〜５のいずれか一つに記載の画像ログ管理装置。
【請求項７】
請求項１〜６のいずれか一つに記載の画像ログ管理装置と、
画像ログを取得する画像ログ取得手段と、取得した画像ログを外部へ送信する画像ログ送信手段と、を備えた画像形成装置と、
前記画像形成装置から送られる画像ログを受信する画像ログ受信手段と、受信した前記
画像ログを蓄積しておく画像ログ蓄積手段と、を備えた画像ログ蓄積装置と、
により構成されていることを特徴とする画像形成システム。
【請求項８】
印刷データの印刷処理の内容を管理するための画像ログの取得を行うか否かを決定するログ採取プロパティの値が設定されているか否かを判定するログ採取プロパティ設定判定工程と、
前記ログ採取プロパティ設定判定工程で前記ログ採取プロパティの値が設定されていると判定されたとき、前記ログ採取プロパティの設定内容に対応させて、印刷設定画面の表示内容を制御する表示制御工程と、
前記印刷データの印刷処理を実行しようとする画像形成装置が画像ログ取得機能を有しているか否かを判定する画像ログ取得機能判定工程と、
前記画像ログ取得機能判定工程の判定結果に基づいて、前記画像形成装置に前記印刷処理を実行させる印刷工程をコンピュータに実行させることを特徴とする画像ログ管理プログラム。
【手続補正２】
【補正対象書類名】明細書
【補正対象項目名】０００６
【補正方法】変更
【補正の内容】
【０００６】
上述した課題を解決し、目的を達成するため、請求項１の発明にかかる画像ログ管理装置は、印刷データの印刷処理の内容を画像ログとして管理する画像ログ管理装置であって、前記画像ログの取得を行うか否かを決定するログ採取プロパティの値を設定するログ採取プロパティ設定手段と、前記ログ採取プロパティの値が設定されているか否かを判定するログ採取プロパティ設定判定手段と、前記ログ採取プロパティ設定判定手段でログ採取プロパティの値が設定されていると判定されたとき、前記ログ採取プロパティ設定手段により設定された前記ログ採取プロパティの設定内容に対応させて、印刷設定画面の表示内容を制御する表示制御手段と、前記印刷データの印刷処理を実行しようとする画像形成装置が画像ログ取得機能を有しているか否かを判定する画像ログ取得機能判定手段と、を有し、前記画像ログ取得機能判定手段の判定結果に基づいて、前記画像形成装置に前記印刷処理を実行させることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、請求項３の発明にかかる画像ログ管理装置は、請求項１または２に記載の発明において、画像ログ管理装置に接続されている一または複数の画像形成装置の中から、前記画像ログ取得機能判定手段により画像ログ取得機能を有していると判定された画像形成装置を検出する画像形成装置検出手段を備えていることを特徴とする特徴とする。
【手続補正５】
【補正対象書類名】明細書
【補正対象項目名】００１０
【補正方法】変更
【補正の内容】
【００１０】
また、請求項４の発明にかかる画像ログ管理装置は、請求項１〜３のいずれか一つに記
載の発明において、前記画像ログ取得機能判定手段によりユーザが指定した画像形成装置が画像ログ取得機能を有していないと判定されたときに、前記ユーザからの指示に基づき、印刷対象の文書の管理者に対して通知を行う通知手段を備えることを特徴とする。
【手続補正６】
【補正対象書類名】明細書
【補正対象項目名】００１１
【補正方法】変更
【補正の内容】
【００１１】
また、請求項５の発明にかかる画像ログ管理装置は、請求項１〜４のいずれか一つに記
載の発明において、画像ログ管理装置からログインしている者と当該画像ログ管理装置で編集処理が行われている文書の所有者とが同一人物であるか否かを判定する文書所有者判定手段を備えていることを特徴とする。
【手続補正７】
【補正対象書類名】明細書
【補正対象項目名】００１２
【補正方法】変更
【補正の内容】
【００１２】
また、請求項６の発明にかかる画像ログ管理装置は、請求項１〜５のいずれか一つに記
載の発明において、処理する文書に対して当該文書の所有者情報を設定する文書所有者情報設定手段を備えていることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
また、請求項８の発明にかかる画像ログ管理プログラムは、コンピュータに印刷データの印刷処理の内容を管理するための画像ログの取得を行うか否かを決定するログ採取プロパティの値が設定されているか否かを判定するログ採取プロパティ設定判定工程と、前記ログ採取プロパティ設定判定工程で前記ログ採取プロパティの値が設定されていると判定されたとき、前記ログ採取プロパティの設定内容に対応させて、印刷設定画面の表示内容を制御する表示制御工程と、前記印刷データの印刷処理を実行しようとする画像形成装置が画像ログ取得機能を有しているか否かを判定する画像ログ取得機能判定工程と、前記画像ログ取得機能判定工程の判定結果に基づいて、前記画像形成装置に前記印刷処理を実行させることを特徴とする。